(57)【要約】【課題】狭隘な供給用配電箱内でも特殊な取り付け工具を使用しないで容易に設置出来る、供給用配電箱内への地中線高圧引込開閉器の取り付け構造を提供する。【解決手段】開閉器取り付け金具Ｂの板体１４の相対向する他方の側縁１４ｂの上端部に夫々凹部１５を設け、開閉器Ａの機構基板６の両側の上部に一定長の突起８を水平方向に夫々設け、供給用配電箱Ｃ内の機器取り付けアングル２３に開閉器取り付け金具Ｂを固定し、この開閉器取り付け金具Ｂに開閉器Ａを取り付ける際、開閉器取り付け金具Ｂの両側の各凹部１５に開閉器Ａの機構基板６の両側の各突起８を夫々係止して開閉器Ａを回動自在に支持し、開閉器Ａの前部下部を後方へ押して突起８を回転軸として回動させて開閉器取り付け金具Ｂの両側の板体１４及び背面板で構成する凹部内に納めて開閉器Ａを開閉器取り付け金具Ｂに固定した。【選択図】図１２
2005080323.tif 000002
【特許請求の範囲】
【請求項１】
供給用配電箱内に設けられる、２枚の各板体を相対向して間を空けて立設し、当該２枚の板体の相対向する一方の側縁を別途設けた背面板で繋いで開閉器取り付け金具を設け、当該開閉器取り付け金具に取り付ける、扁平な箱体を立設して形成するモールド接点部を一定の間隔を空けて三相並べ、当該三相並べた扁平な箱体の正面を開口面とし、当該開口面を略方形状の機構基板で塞いで三相の箱体を支持する地中線高圧引込開閉器において、
上記開閉器取り付け金具の板体の相対向する他方の側縁の上端部に夫々凹部を設け、上記地中線高圧引込開閉器の機構基板の両側の上部に一定長の突起を水平方向に夫々設け、
供給用配電箱内の機器取り付けアングルに上記開閉器取り付け金具を固定し、この開閉器取り付け金具に上記地中線高圧引込開閉器を取り付ける際、当該開閉器取り付け金具の両側の上記各凹部に当該地中線高圧引込開閉器の機構基板の両側の上記各突起を夫々係止して当該地中線高圧引込開閉器を回動自在に支持し、
当該地中線高圧引込開閉器の前部下部を後方へ押して上記突起を回転軸として回動させて当該開閉器取り付け金具の両側の板体及び背面板で構成する凹部内に納めて当該地中線高圧引込開閉器を当該開閉器取り付け金具に固定することを特徴とした、供給用配電箱内への地中線高圧引込開閉器の取り付け構造。
【請求項２】
上記開閉器を固定した際、開閉器の三相の各上部ブッシングの端子に供給用配電箱内に予め設けられた母線の三相の各端子が重なるように位置させたことを特徴とした、上記請求項１に記載の供給用配電箱内への地中線高圧引込開閉器の取り付け構造。
【請求項３】
制御電源用変圧器を設けていない上記地中線高圧引込開閉器の三相並べた扁平な各箱体の下面であって、立ち上げケーブル接続用の各下部ブッシングより背面側に制御電源用引出端子を設け、
上記開閉器取り付け金具の下方に、上部に制御電源用変圧器ブッシングを設けた制御電源用変圧器を収納した制御電源用変圧器取り付け金具を設け、当該制御電源用変圧器取り付け金具を上記開閉器取り付け金具内外に上下方向に出入り自在に設け、
供給用配電箱内の上記開閉器取り付け金具に係止した上記地中線高圧引込開閉器を後方へ押して回動させて当該開閉器取り付け金具内に納めて当該開閉器取り付け金具に固定した際、上記地中線高圧引込開閉器の下面に設けた各制御電源用引出端子の真下に、上記制御電源用変圧器取り付け金具に設けた制御電源用変圧器の制御電源用変圧器ブッシングが位置するものとし、当該制御電源用変圧器取り付け金具を上方に一定長持ち上げて当該制御電源用変圧器ブッシングに上記制御電源用引出端子を嵌合させてこれらを電気的に接続したことを特徴とした、上記請求項１又は２の何れかに記載の供給用配電箱内への地中線高圧引込開閉器の取り付け構造。
【請求項４】
上記地中線高圧引込開閉器の、三相並べて設けたモールド接点部の各相の間に、接地した扁平な箱体から成る金属製ダクトを両側に夫々隙間を空けて設け、絶縁層で覆った環状の変流器又は零相変流器を各相の箱体の上下面に設けた上下部ブッシングの基部との間に隙間を開けて設け、当該変流器又は零相変流器を上記金属製ダクトの上面又は下面に固着し、変流器又は零相変流器から伸びた二次リード線を上記金属製ダクト内を通して制御ケーブルに接続することを特徴とした、上記請求項１乃至３の何れかに記載の供給用配電箱内への地中線高圧引込開閉器の取り付け構造。
【発明の詳細な説明】
【０００１】
【発明の属する技術分野】
この発明は、高圧キャビネット等の供給用配電箱内への地中線高圧引込開閉器の取り付け構造に関するものである。
【０００２】
【従来の技術】
従来から、高圧地中配電線の分岐開閉のために地中線高圧引込開閉器（以下「開閉器」と言う）を設置した供給用配電箱が使用されている。この供給用配電箱内は、図１０に示すように、一側には、幹線のπ連係用開閉器Ｘ、Ｙが夫々設けられており、他側に需要家側への引込開閉器Ａが設けられている。またこの供給用配電箱の内部に設置される引込開閉器Ａには、三相一体の金属容器の各相上下に、この金属容器から絶縁された電線接続端子が設けてあり、上部の電線接続端子にモールド母線を接続し、下部の電線接続端子に地中から立ち上げた地中ケーブルを接続している（上記図１０に示すものは、本願におけるものを示しており、従来のものとは、外観構成等が異なるが、ここでは、後述する引込側の開閉器の取り付けスペースが狭隘なことを表す具体例として示す。）。
【０００３】
【発明が解決しようとする課題】
しかしながら、この様な引込開閉器Ａは、制御電源用変圧器、変流器（ＣＴ）、零相変流器（ＺＣＴ）、ＰＤなどを内蔵しており、かなりの重量となっている。また近年、既設の供給用配電箱内の引き込み回路に地絡保護機能付き開閉器の後付けが必要になり運用されているが、この様な引込開閉器Ａは、ケーブル処理空間確保のため制御電源用変圧器、センサー類を内蔵してのコンパクト化が要求され、そのためＳＦ６ガス等の絶縁ガス封入の鋼板製密閉容器が必要となり、さらに重くならざるを得なかった。
【０００４】
一方、既設の供給用配電箱の狭隘な引込側の開閉器の取り付けスペースでは、重い開閉器を持上げて既設母線に当該開閉器の母線接続端子を電気的、機械的に確実に接続し、当該開閉器を固定する作業は人力のみでは行えず、リフト等の特殊取り付け工具を使用せざるを得なかった。しかしこの様な特殊取り付け工具を使用せずに開閉器を設置することが出来れば、望まれるところである。
【０００５】
そこでこの発明は、狭隘な供給用配電箱内において、特殊な取り付け工具を使用しないで容易に設置出来る、供給用配電箱内への地中線高圧引込開閉器の取り付け構造を提供して上記課題を解決するものである。
【０００６】
【課題を解決するための手段】
請求項１の発明は、供給用配電箱内に設けられる、２枚の各板体を相対向して間を空けて立設し、当該２枚の板体の相対向する一方の側縁を別途設けた背面板で繋いで開閉器取り付け金具を設け、当該開閉器取り付け金具に取り付ける、扁平な箱体を立設して形成するモールド接点部を一定の間隔を空けて三相並べ、当該三相並べた扁平な箱体の正面を開口面とし、当該開口面を略方形状の機構基板で塞いで三相の箱体を支持する地中線高圧引込開閉器において、上記開閉器取り付け金具の板体の相対向する他方の側縁の上端部に夫々凹部を設け、上記地中線高圧引込開閉器の機構基板の両側の上部に一定長の突起を水平方向に夫々設け、供給用配電箱内の機器取り付けアングルに上記開閉器取り付け金具を固定し、この開閉器取り付け金具に上記地中線高圧引込開閉器を取り付ける際、当該開閉器取り付け金具の両側の上記各凹部に当該地中線高圧引込開閉器の機構基板の両側の上記各突起を夫々係止して当該地中線高圧引込開閉器を回動自在に支持し、当該地中線高圧引込開閉器の前部下部を後方へ押して上記突起を回転軸として回動させて当該開閉器取り付け金具の両側の板体及び背面板で構成する凹部内に納めて当該地中線高圧引込開閉器を当該開閉器取り付け金具に固定する供給用配電箱内への地中線高圧引込開閉器の取り付け構造とした。
【０００７】
請求項２の発明は、上記開閉器を固定した際、開閉器の三相の各上部ブッシングの端子に供給用配電箱内に予め設けられた母線の三相の各端子が重なるように位置させた上記請求項１に記載の供給用配電箱内への地中線高圧引込開閉器の取り付け構造とした。
【０００８】
請求項３の発明は、制御電源用変圧器を設けていない上記地中線高圧引込開閉器の三相並べた扁平な各箱体の下面であって、立ち上げケーブル接続用の各下部ブッシングより背面側に制御電源用引出端子を設け、  上記開閉器取り付け金具の下方に、上部に制御電源用変圧器ブッシングを設けた制御電源用変圧器を収納した制御電源用変圧器取り付け金具を設け、当該制御電源用変圧器取り付け金具を上記開閉器取り付け金具内外に上下方向に出入り自在に設け、供給用配電箱内の上記開閉器取り付け金具に係止した上記地中線高圧引込開閉器を後方へ押して回動させて当該開閉器取り付け金具内に納めて当該開閉器取り付け金具に固定した際、上記地中線高圧引込開閉器の下面に設けた各制御電源用引出端子の真下に、上記制御電源用変圧器取り付け金具に設けた制御電源用変圧器の制御電源用変圧器ブッシングが位置するものとし、当該制御電源用変圧器取り付け金具を上方に一定長持ち上げて当該制御電源用変圧器ブッシングに上記制御電源用引出端子を嵌合させてこれらを電気的に接続した上記請求項１又は２の何れかに記載の供給用配電箱内への地中線高圧引込開閉器の取り付け構造とした。
【０００９】
請求項４の発明は、上記地中線高圧引込開閉器の、三相並べて設けたモールド接点部の各相の間に、接地した扁平な箱体から成る金属製ダクトを両側に夫々隙間を空けて設け、絶縁層で覆った環状の変流器又は零相変流器を各相の箱体の上下面に設けた上下部ブッシングの基部との間に隙間を開けて設け、当該変流器又は零相変流器を上記金属製ダクトの上面又は下面に固着し、変流器又は零相変流器から伸びた二次リード線を上記金属製ダクト内を通して制御ケーブルに接続する上記請求項１乃至３の何れかに記載の供給用配電箱内への地中線高圧引込開閉器の取り付け構造とした。
【００１０】
【発明の実施の形態】
以下、この発明の実施の形態例を図に基づいて説明する。
この開閉器Ａは、図１乃至図３に示すように、この開閉器Ａを構成する三つの各モールド接点部１は、扁平な箱体を立設して、その扁平な二つの面を左右の側面として設け、この立設した箱体の、縦長長方形の正面を開口面とし（図示省略）、この開口面の上端縁及び下端縁を夫々上下に伸張して肉厚のフランジ部２として設け、これらの箇所の正面に埋込ナット（図示省略）を上下二つづつ設けている。
【００１１】
この立設した箱体の上面及び下面に、図２に示すように、一定長の一部前面が切り欠けた略円筒形状のブッシングを夫々設けて上部ブッシング部３及び下部ブッシング部４を形成している。また箱体の下面の下部ブッシング４より背面側に制御電源用引出端子５を設けている。この様なモールド接点部１を、図１及び図３に示すように、間隔を空けて三相並べて設け、これらの箱体の正面の三つの開口面の端縁に被せる略正方形の機構基板６を設けている。上部ブッシング部３及び下部ブッシング４内には、夫々端子が設けられており、これらの端子は、前面の切り欠き部から露出している。
【００１２】
各モールド接点部１の上下のフランジ部２に予め設けた埋込ナットの位置に合わせ、この機構基板６に設けた各貫通孔に各ボルト７を挿入してこれを締付けて各モールド接点部１に機構基板６を固着している。またこの機構基板６の上端縁６ａを各箱体の上面側に略直角に折り曲げており、この上端縁６ａの両側には、一定長の丸棒型の突起８を夫々設けている。機構基板６の両側縁６ｂは、モールド接点部１の側面側に折り曲げている。さらに機構基板６の上下左右の四隅に、後述する開閉器取り付け金具に螺着するボルトの貫通孔６ｃを夫々穿ち、また機構基板６の三つの開口部（図示省略）の間の端縁の上部及び下部には、後述する金属製ダクトを螺着するためのボルトの貫通孔６ｄを夫々穿っている。
【００１３】
これらの三相並べて設けたモールド接点部１の各相の間に、図４及び図５に示すように、接地した金属製ダクト９を、両側の各モールド接点部１の各側面と夫々数ミリの隙間１ａを空けて機構基板６の裏面に固着している。この金属製ダクト９は、扁平な四角形の箱体を立設して成り、その細巾の正面は開口面となっており（図示省略）、この開口面の上下にフランジ部を設け（図示省略）、これらのフランジ部に貫通孔を穿ち（図示省略）、機構基板６において、これらの貫通孔に相応する位置に予め貫通孔６ｄを夫々穿っている。そして機構基板６の裏面にこれらの金属製ダクト９を夫々当接して配置し、金属製ダクト９のフランジ部の貫通孔と上記機構基板６に設けた貫通孔６ｄの位置を合わせ、これらにボルトを螺着して固定している。
【００１４】
この機構基板６上に、図１乃至図３に示すように、この機構基板６を保護する箱型のカバー１０で覆っている。そしてこのカバー１０の表面には、開閉の為の「入」、「切」の表示を設け、開閉器Ａの開閉に連動して上記「入」、「切」を指す指示器１０ａを設けている。またこの開閉器Ａには、制御電源用変圧器を設けていない。
【００１５】
図２、図３及び図６に示すように、環状の変流器１１及び零相変流器１２（図６では、零相変流器１２の場合のみ示す）を用意し、モールド接点部１の各相の箱体の上面に設けた上部ブッシング３に零相変流器１２を、下面に設けた下部ブッシング４に変流器１１を夫々上下部ブッシング３、４の基部に隙間３ｂを開けて設けている。この時、変流器１１又は零相変流器１２は、夫々三相別個に設けられているが、長円形状の絶縁物１３を被覆することにより、夫々三相一体に設けられている。
【００１６】
またこの長円形状の絶縁物１３の上面の各変流器１１又は零相変流器１２の三相の間に相当する二箇所には、図３に示すように、細長の凹部１３ａを設けており、この凹部１３ａの両端部には絶縁物１３の下面に貫通した貫通孔１３ｂを設けている。そしてこれらの都合四つの貫通孔１３ｂに四本のボルト１３ｃを通し、これらの貫通孔１３ｂの下に位置する上記金属製ダクト９の上面に、予め穿たれた孔に夫々のボルト１３ｃを通して、長円形状の絶縁物１３と金属製ダクト９とを固定している。さらに夫々の変流器１１又は零相変流器１２の二次側リード線（図示省略）を上記金属製ダクト９の上面及び下面に穿った孔から内側に通して制御ケーブル１４ｆに接続している（図１及び２参照）。
【００１７】
次に開閉器取り付け金具Ｂについて説明する。図７及び図８に示すように、２枚の略鉤型の板体１４を夫々長い方の側縁１４ａを背面側にして相対向して間を空けて立設し、これらの２枚の板体の正面側の短い方の側縁１４ｂを上方、下方に一定幅伸ばし、これらの側縁１４ｂの上端部に、凹部１５を設け、２枚の板体１４の長い方の側縁１４ａの上方を一定巾伸ばし、この一定巾伸ばした部位の前側縁１４ｅと側縁１４ａの中部の一部を、夫々別途設けた背面板１６、１７で繋ぎ、底面は開口させて開閉器取り付け金具Ｂを形成している。但し背面板１６は、側縁１４ａの上部内側に設けてある。また、この２枚の板体１４の短い方の側縁１４ｂの上部前面に雌ねじ１４ｃと下部前面に雄ねじ１４ｄを取り付けている。なお図７及び図８において、開閉器取り付け金具Ｂの左側の板体１４に沿って下方から上方へ伸びているのは、制御電源ケーブル１４ｇであり、後述する制御電源用変圧器２１と別設の制御器Ｄとを接続するものである。
【００１８】
また図７乃至図９に示すように、この開閉器取り付け金具Ｂの開口した底面のすぐ下方に、制御電源用変圧器２１を内部に納めた略樋型の制御電源用変圧器取り付け金具１８を設け、この制御電源用変圧器取り付け金具１８の底板１８ａの左右の端部に夫々貫通孔１８ｂを穿っており、底板１８ａ上の貫通孔１８ｂの周りに溝形ガイド１８ｃを立設している。上記開閉器取り付け金具Ｂの板体１４が形成する底面の開口縁内の両側に制御電源用変圧器取り付け金具１８の上記溝形ガイド１８ｃ内に内接する溝形ガイド２０ａを夫々立てて設けており、これらの溝形ガイド２０ａの入口部分にナット２０を当接して設けている。
【００１９】
上記夫々の貫通孔１８ｂの下方から、長身であって、先端部１９ｃと頭部１９ａに近い部分１９ｂにのみねじ切りされ、その中間部は挿通部と成っている制御電源用変圧器固定用ボルト１９を逆さまにして夫々通し、先端部１９ｃを上記ナット２０に貫通させておき、頭部１９ａを底板１８ａ外に出して、当該制御電源用変圧器固定用ボルト１９及び当該制御電源用変圧器固定用ボルト１９に伴って制御電源用変圧器取り付け金具１８を上下方向に移動自在に設けている。
【００２０】
そして制御電源用変圧器２１を納めた制御電源用変圧器取り付け金具１８を上方に持ち上げた状態で、両側に設けている制御電源用変圧器固定用ボルト１９の頭部１９ａに近い部分１９ｂをナット２０に締め込むことにより、制御電源用変圧器取り付け金具１８は、開閉器取り付け金具Ｂの中に嵌め込まれるようになっている。この時上方に持ち上げられる制御電源用変圧器２１は、溝形ガイド１８ｃの内面が溝形ガイド２０ａの外面上を当接しながら移動することにより、前後左右に傾くことなく、円滑に上方に持ち上げられ、かつ開閉器Ａの上記制御電源用引出端子５に制御電源用変圧器２１の制御電源用変圧器ブッシング２１ａが嵌合し易い。
【００２１】
続いて、供給用配電箱Ｃ内の機器取り付けアングル２３（図１１参照）に上記開閉器取り付け金具Ｂの背面板１６を当ててボルトで予め取り付けた上記開閉器取り付け金具Ｂに開閉器Ａを取り付ける手順を説明する。制御電源用変圧器を設けていない開閉器Ａを作業者が手で持ち上げて、図１２及び図１３に示すように、開閉器取り付け金具Ｂの両側の板体１４の上端部に設けた各凹部１５にこの開閉器Ａの機構基板６の両側の上部に設けた各突起８を夫々係止して仮置きし、これらの突起８を軸として開閉器Ａを回動自在に吊り下げる（図１３では、開閉器を自重で懸架された状態を示す）。
【００２２】
そしてこの開閉器Ａの前面下部を人手により後方へ押して回動させ、図１４に示すように、この開閉器Ａのカバー１０が正面の位置に来るようにして開閉器取り付け金具Ｂ内に納め、開閉器取付金具Ｂの四つの雌ねじ１４ｃと雄ねじ１４ｄの位置に開閉器Ａの機構基板６の貫通孔６ｃの位置を合わせ、ボルトを各貫通孔６ｃを通して各雌ねじ１４ｃと雄ねじ１４ｄにより螺着して開閉器Ａをこの開閉器取り付け金具Ｂに固着する。
【００２３】
この時、開閉器Ａの下面に設けた制御電源用引出端子５の真下に、上記開閉器取り付け金具Ｂに設けた制御電源用変圧器２１の制御電源用変圧器ブッシング２１ａが位置しており、制御電源用変圧器取り付け金具１８を上方に持ち上げて、図１５及び図１６に示すように、制御電源用変圧器ブッシング２１ａを上記制御電源用引出端子５に嵌合してこれらを電気的に接続する。そしてこの状態で制御電源用変圧器取り付け金具１８の両側に設けた二つの長身の制御電源用変圧器固定用ボルト１９を締め込んで制御電源用変圧器取り付け金具１８を開閉器取り付け金具Ｂに固定する。
【００２４】
さらに図６及び図１５に示すように、開閉器Ａを回動して開閉器取り付け金具Ｂに固着した時、供給用配電箱Ｃ内の上部において、開閉器取り付け金具Ｂの上方に位置している母線２２の端子２２ａの取り付け面が丁度、開閉器Ａの夫々の上部ブッシング３の前面切り欠き部内に入り込み、上部ブッシング３に設けられた端子３ａの取り付け面とおよそ重なる位置に来るようになっており、そこでこれらの端子２２ａと端子３ａをネジにより夫々螺着して接続する。さらにこれらをカバー３ｃで被冠する。
【００２５】
以上のように、供給用配電箱Ｃ内の需要家への引込側の狭い間口において、この開閉器Ａを持ち上げて搬入し、開閉器取り付け金具Ｂの上部の凹部１５に開閉器Ａの正面上部に設けた突起８をあてがって仮置きし、その後開閉器Ａ本体を回動して開閉器取り付け金具Ｂに納めて固着すれば、自動的に開閉器Ａ本体を既設の母線端子２２ａの取り付け面と上部ブッシング３の端子３ａの取り付け面を合致させることが出来るので次のような効果が得られる。
１）    開閉器Ａの取り付けに機械力及び専用冶具を使う必要がない。
２）    開閉器Ａの仮置き角度が１８０度自由なので、作業者が開閉器Ａの背面を抱き抱えた状態で持ち上げ仮置きが出来る。さらに開閉器Ａを横にして複数の人間で仮置きが出来、開閉器Ａを担いだ状態でも仮置きが出来る。
３）    既設母線端子２２ａ及び開閉器Ａの上部ブッシング３の端子３ａを他の部材に接触させずに重合させることができるため、これらを損傷することなく接続出来る。
４）    開閉器Ａのモールド接点部１の外周モールド部、変流器１１（ＣＴ）を、既設母線端子２２ａ、既設供給用配電箱Ｃの機器取り付けアングル２３及びボルトに接触させる恐れがないので、上記開閉器Ａのモールド接点部１の外周のモールド部、変流器１１（ＣＴ）などの防護を不要とすることが出来る。
【００２６】
また、制御電源用変圧器２１を開閉器Ａ本体と分離し、開閉器取り付け金具Ｂに取り付けることにより、次の効果が得られる。
１）    開閉器Ａ本体を軽量化出来る。
２）    開閉器Ａのモールド接点部１、又は開閉器Ａの機構基板６に制御電源用変圧器２１の荷重の負担がかからない。
３）    制御電源用変圧器２１のメンテナンス、不具合時の取り外し調査、交換を開閉器Ａを取り外しすることなく、容易に行える。
４）    制御電源用変圧器取り付け金具１８が開閉器取り付け金具Ｂの補強になるので、開閉器Ａの操作時等の開閉器Ａの横揺れを低減できる。
５）    開閉器Ａの機構基板６の両側に設けた突起８と開閉器取り付け金具Ｂの凹部１５の強度を制御電源用変圧器２１の重量の分だけ低減出来る。
【００２７】
開閉器取り付け金具Ｂを取り付ける時、開閉器取り付け金具Ｂに制御電源用変圧器２１を仮置きしておくことにより次の効果が得られる。
１）    制御電源用変圧器２１の二次側リード線、接地線を工場で開閉器取り付け金具Ｂに防水処理を確実に施して配線しておくことが出来る。
２）    制御電源用変圧器２１の取り付け方向を間違える恐れがない。
３）    既設の供給用配電箱Ｃの下部奥で重い制御電源用変圧器２１を持ち上げて嵌合部を合わせた後単体のボルトをねじ穴に合わせてねじ込んで固定することは非常に困難な作業であるが、制御電源用変圧器２１を収納した制御電源用変圧器取り付け金具１８を開閉器取り付け金具Ｂに両側二つの制御電源用変圧器固定用ボルト１９を介してぶら下げておくことにより、開閉器Ａ本体の電源引出端子５に制御電源用変圧器２１の一次側端子（制御電源用変圧器ブッシング２１ａ）を嵌合させるとき、溝形ガイド１８ｃ、２０ａにより前後左右に傾くことなく、これらを容易に嵌合することが出来る。
【００２８】
さらに変流器１１（ＣＴ）、零相変流器１２（ＺＣＴ）をモールド接点部１から電気的に浮かして取り付けることにより次の効果が得られる。
１）    各モールド接点部１に接地層を設けないので開閉器Ａ本体の縦寸法を短尺化出来、ケーブル端末処理が可能な空間を確保できる。
２）    開閉器Ａの上下部のブッシング３、４に接地層を施さずに変流器１１（ＣＴ）、零相変流器１２（ＺＣＴ）を取り付けても各相分離、完全地絡優先構造とすることが出来る。
【００２９】
接地した金属製ダクト９をモールド接点部１の相間に数ミリの空気層を設けて取り付けることにより次の効果が得られる。
１）    変流器１１（ＣＴ）、零相変流器１２（ＺＣＴ）の二次リード線の他、他の制御線も同様に直接金属製ダクト９内に引き込むことが出来るので、高圧側から確実に遮蔽でき、高低圧混触防止構造とすることが出来る。
２）    制御ケーブルを開閉器Ａの側面に這わす必要がないので、開閉器Ａの取り付け作業において、開閉器Ａの取り付け、制御線の制御器への接続作業が容易となる。
３）    制御線と制御ケーブルを接続するための中継端子箱が不要となる。
４）    一つのモールド接点部１の側面が破損しても、モールド接点部１間には、接地された金属ダクト９が介在しているため、即相間短絡にならず、完全な地絡優先構造とすることが出来る。
【００３０】
【発明の効果】
請求項１乃至４の各発明によれば、複数の人間により開閉器を開閉器取り付け金具に仮置きすれば、後は、開閉器を回動させれば開閉器取り付け金具に取り付けることが出来るので、大きな力を必要としていた開閉器取り付け作業において、機械力及び専用冶具を使う必要がなく、容易に人の力のみで作業ができる。
【００３１】
請求項２の発明によれば、上記開閉器を固定した際、上部ブッシングの端子に母線の端子が重なるように位置させたので、既設母線端子及び開閉器の上部ブッシングの端子を他の部材に接触させずに重合させることができるため、これらを損傷することなく接続出来る。さらに請求項３の発明によれば、開閉器に制御電源用変圧器を設けず、開閉器取り付け金具側に、制御電源用変圧器取り付け金具によって制御電源用変圧器を仮支持しているので、開閉器を減量することが出来、上記開閉器取り付け作業において、機械力及び専用冶具を使う必要がなく、より容易に人の力のみで作業ができる。
【００３２】
また開閉器の箱体の下面に制御電源用引出端子を設け、開閉器取り付け金具の下方に、上部に制御電源用変圧器ブッシングを設けた制御電源用変圧器を設け、開閉器取り付け金具に仮置きした上記地中線高圧引込開閉器の前部下部を後方へ押して回動させて当該開閉器取り付け金具に納めれば、上記地中線高圧引込開閉器の下面に設けた制御電源用引出端子の真下に、上記開閉器取り付け金具に設けた制御電源用変圧器の制御電源用変圧器ブッシングが来るようにし、その後当該制御電源用変圧器を上方に一定長移動させて当該制御電源用変圧器ブッシングを上記制御電源用引出端子に嵌合してこれらを電気的に接続するようにしたので、開閉器に制御電源用変圧器を設けず、開閉器取り付け金具側に制御電源用変圧器を設けた状態でも、より確実かつ容易に、開閉器と制御電源用変圧器を接続することが出来るものである。
【００３３】
請求項４の発明によれば、変流器（ＣＴ）、零相変流器（ＺＣＴ）をモールド接点部から電気的に離して取り付けたので、開閉器の縦寸法を短尺化出来、上記開閉器取り付け作業において、作業空間をより多く確保することができる。また接地した金属製ダクトをモールド接点部の相間に数ミリの空気層を設けて取り付けたので、変流器（ＣＴ）、零相変流器（ＺＣＴ）の二次リード線の他、他の制御線も同様に直接金属ダクト内に引き込むことが出来、高圧側から確実に遮蔽でき、高低圧混触防止構造とすることが出来る。さらに制御ケーブルを開閉器の側面に這わす必要がないので、開閉器の取り付け作業において、開閉器の取り付け、制御ケーブルの制御器への接続作業が容易となる。
【図面の簡単な説明】
【図１】この発明の実施の形態例の開閉器の正面図である。
【図２】この発明の実施の形態例の開閉器の右側面図である。
【図３】この発明の実施の形態例の開閉器の平面図である。
【図４】この発明の実施の形態例の開閉器の各モールド接点部の間に金属製ダクトを設けている状態を示す説明平面図である。
【図５】この発明の実施の形態例の開閉器の各モールド接点部の間に金属製ダクトを設けている状態を示す説明背面図である。
【図６】この発明の実施の形態例の開閉器の上部ブッシングの基部の周りに隙間を空けて零相変流器を設けた状態を示す説明断面図である。
【図７】この発明の実施の形態例の開閉器取り付け金具の正面図である。
【図８】この発明の実施の形態例の開閉器取り付け金具の右側面図である。
【図９】この発明の実施の形態例の制御電源用変圧器固定用ボルトを開閉器取り付け金具に設けられているボルトを溝型ガイドのナットにぶら下げた状態を示す一部断面説明図である。
【図１０】この発明の実施の形態例の開閉器を開閉器取り付け金具によって設置した状態を示す供給用配電箱の扉を外した正面図である。
【図１１】この発明の実施の形態例の開閉器を開閉器取り付け金具によって設置した状態を示す供給用配電箱の一部断面右側面図である。
【図１２】この発明の実施の形態例の供給用配電箱に取り付けた開閉器取り付け金具の両側の凹部に開閉器の両側の突起を係止した状態を示す説明図である。
【図１３】この発明の実施の形態例の供給用配電箱に取り付けた開閉器取り付け金具に開閉器自体の自重で懸架されている状態を示す説明図である。
【図１４】この発明の実施の形態例の供給用配電箱に取り付けた開閉器取り付け金具に開閉器を納めた状態を示す説明図である。
【図１５】この発明の実施の形態例の供給用配電箱に取り付けた開閉器取り付け金具に開閉器を納め、開閉器に設けた電源引出端子と開閉器取り付け金具に設けた制御電源用変圧器の制御電源用変圧器ブッシングを接続した状態を示す説明図である。
【図１６】この発明の実施の形態例の開閉器に設けた電源引出端子と開閉器取り付け金具に設けた制御電源用変圧器の制御電源用変圧器ブッシングを接続した状態を示す拡大説明図である。
【符号の説明】
Ａ    開閉器                          Ｂ    開閉器取り付け金具
Ｃ    供給用配電箱
１    モールド接点部                  ３    上部ブッシング
４    下部ブッシング                  ５    制御電源用引出端子
６    機構基板
８    機構基板の両側の上部に設けた突起
９    金属製ダクト                  １１    変流器
１２    零相変流器
１４    開閉器取り付け金具の板体
１５    開閉器取り付け金具の板体の両側の凹部
１９    制御電源用変圧器固定用ボルト  ２１    制御電源用変圧器
２１ａ  制御電源用変圧器ブッシング
【図１】
2005080323.tif 000003
【図２】
2005080323.tif 000004
【図３】
2005080323.tif 000005
【図４】
2005080323.tif 000006
【図５】
2005080323.tif 000007
【図６】
2005080323.tif 000008
【図７】
2005080323.tif 000009
【図８】
2005080323.tif 000010
【図９】
2005080323.tif 000011
【図１０】
2005080323.tif 000012
【図１１】
2005080323.tif 000013
【図１２】
2005080323.tif 000014
【図１３】
2005080323.tif 000015
【図１４】
2005080323.tif 000016
【図１５】
2005080323.tif 000017
【図１６】
2005080323.tif 000018